(57)【特許請求の範囲】
【請求項１】
短寸サイズのシャフトを切断することができるシャフト切断装置であって、
シャフト切断装置の内部を開閉することができる開閉フレーム（２）を一方側に備える装置構造体（１）から構成され、
装置構造体（１）の上側に、装置構造体（１）内でのシャフト切断装置の加工プロセスから外部に空気を排出するために、直接的にまたは接続チューブ（４）を介して空気を排出させるための空気流路（３）が設けられ、
装置構造体（１）の横に、電力システムのために備えられ、外部電源とシャフト切断ユニット内の電力システムとを接続する電気制御ユニット（５）が設けられ、
装置構造体（１）の一部分に、電力システムを制御し、シャフト切断装置を操作する電気コントローラとして使用される、コントローラ（６）が設けられ、
装置構造体（１）の下側部分に、切断プロセスで生じたシャフトのスクラップを受け取って保管するスクラップボックス（７）と開閉可能なボックス蓋（８）とが設けられ、
装置構造体（１）の下側部分の他方の側には、冷却液用ホール（９）が設けられ、そのホールの上側部分が冷却液を受け取って保管するためにフィルタ（１０）に接続されており、
装置構造体（１）の横側の部分に、短寸シャフト供給ユニット（１１）が設けられ、
シャフト供給ユニット（１１）が、シャフトパレット（１５）を含む供給用構造体（１４）から構成され、
シャフトパレットのサイドが、シャフト移動レール（１８）に水平姿勢の短寸シャフト（１６）を配置するために間隔が調節可能なサイドエッジ（１７）であり、
シャフト移動レール（１８）の上方に、供給用構造体（１４）の上部構造の一部分に取り付けられた上側昇降パレット（２０）が設けられ、これが、上側インアウトシリンダ（２１）からの伝達力を受け取り、上側インサイドシリンダ（２１）が上側昇降パレット（２０）に昇降するための動力を伝達し、
シャフト移動レール（１８）の下側部分が、供給用構造体（１４）の上部構造の一部分に取り付けられた下側昇降パレット（２２）から構成され、これが、下側インアウトシリンダ（２３）からの伝達力を受け取り、下側インアウトシリンダ（２３）が下側昇降パレット（２２）に昇降するための動力を伝達し、
シャフト移動レール（１８）の前に、サイドエッジ（２５）を備え、シャフト切断ユニット（１３）によって所望の長さに切断済みのシャフトを受け取るための加工済みシャフト用パレット（２４）が設けられ、
シャフト切断ユニット（１３）が、一部として装置構造体（１）に取り付けられたシャフト切断ユニット構造体（４０）から構成され、
シャフト切断ユニット構造体（４０）の横に、外部から供給された電力によって動作し、動力伝達機構（４２）に動力を伝達するモータの駆動軸を駆動するサイド駆動モータ（４１）が設けられ、
動力伝達機構（４２）が、シャフト移動レール１８に配置された水平姿勢の短寸シャフト（１６）を所望の長さずつ切断するシャフトブレード（４４）に取り付けられたブレード軸（４３）を駆動し、
シャフト切断ユニット構造体（４０）の横の別の部分に、少なくとも１つのベースを保持するサイド軸保持ベース（４５）が設けられ、
ベースには、外部から伝達された動力を受け取るサイド回転軸（４６）の一端が挿入され、軸の他端がサイド回転軸（４６）の回転にしたがって回転する砥石ホイール（４７）が挿入され、
シャフト移動レール（１８）上に配置されている水平姿勢の短寸シャフト（１６）が、装置構造体（１）の一部分に取り付けられ且つ短寸シャフト駆動機構（２８）の設置をサポートするシャフト送り用構造体（２７）から構成された切断送りユニット（１２）によって押し進められ、
短寸シャフト駆動機構（２８）がモータ軸（３０）を駆動して動作させる駆動モータ（２９）から構成され、
モータ軸（３０）がシャフト送り用構造体（２７）の一部分に設置された駆動セット（３３）の一部分に配置された伝達駆動ピニオン（３２）を駆動するための駆動ピニオン（３１）に取り付けられ、
駆動セット（３３）が、その駆動をサポートし、伝達駆動ピニオン（３２）に取り付けられた機構であって、そのセットの別の部分が直接的にシャフト送り用構造体（２７）に取り付けられているまたは支持ベアリング（３４）を介して取り付けられ、支持ベアリング（３４）が前後軸（３５）の挿入のためにシャフト送り用構造体（２７）の一部分に設置されており、
前後軸（３５）が、駆動セット（３３）の内部に挿入された長い軸であって、駆動セット（３３）からの伝達力によってインアウトに移動し、シャフト移動レール（１８）上に水平姿勢に配置されてシャフト切断ユニット（１３）によって所望の長さに切断処理される短寸シャフト（１６）を押し進める、シャフト切断装置。
【請求項２】
前後軸（３５）の後側に、前後軸（３５）の前後の移動にともなって前後に移動し、且つ、前後支持スティック（３７）の後端が貫通している後側保持スティック（３６）の一部分が取り付けられ、
前後支持スティック（３７）が、その前端がシャフト送り用構造体（２７）の一部分に取り付けられている長いスティックであって、その後端が後側保持スティック（３６）の一部分を貫通している、請求項１に記載のシャフト切断装置。
【請求項３】
前後軸（３５）の後端が、シャフト送り用構造体の一部分に接触する端検知用スティック（３９）を備える端突き出し用スティック（３８）に取り付けられ、
端検知用スティック（３９）が、シャフト切断装置のユニット制御部に駆動モータ（２９）の動作を停止させる処理データを送信するために、移動してシャフト送り用構造体（２７）の一部分に接触する、請求項１または２に記載のシャフト切断装置。
【発明の詳細な説明】
【技術分野】
【０００１】
本技術は、短寸シャフトを切断することができるシャフト切断装置に関する。
【背景技術】
【０００２】
市場のシャフト切断装置は、所望の位置でシャフトを保持し、また軸長さを調節して再び切断する際にその保持を解除できるシャフトホルダであるワンサイズの取り付けプレートから構成されている。このタイプの装置は、マニュアルで操作されるので、切断されるシャフトの長さの調整に技術者の経験が必要である。
【発明の概要】
【０００３】
短寸シャフトを切断することができるシャフト切断装置は、一部分が短シャフトの供給の実行をある程度サポートする装置構造体から構成されている。この供給は、ある程度、水平姿勢の短寸シャフトに適している。シャフトは、シャフトの移動をサポートするレールに送られる。このサポートレールは、移動サポートレールの後方に短寸シャフトを押し進める機構を支持し、駆動モータを備える駆動機構の設置に利用可能である。駆動モータは、モータ軸に動力を伝達して該モータ軸をインアウトに移動させ、切断されるシャフトを必要な長さずつ押し進める。この切断プロセスは、切断モジュールの一部であって、シャフト移動サポートレールの前側に供給された短シャフトに対して加工を行うブレードによって行われる。
【０００４】
本発明の目的は、他の装置によって十分に長く切断されていないためにシャフトを切断できないことによって生じうる材料損失を減少させる、短寸シャフトを切断することができるシャフト切断装置を提供することである。切断が必要な短寸シャフトは、本発明に係る短寸シャフト供給ユニットを介して送られて本装置のブレードによって切断される。
【図面の簡単な説明】
【０００５】
【図１】図１は、短寸シャフトを切断することができる本発明に係るシャフト切断装置を示している。
【図２】図２は、短寸シャフトを切断することができる本発明に係るシャフト切断装置の短寸シャフト供給サポートユニットを示している。
【図３】図３は、短寸シャフトを切断することができる本発明に係るシャフト切断装置の短寸シャフト送りユニットを示している。
【図４】短寸シャフトを切断することができる本発明に係るシャフト切断装置における、供給されたシャフトを切断する短寸シャフト切断ユニットを示している。
【発明を実施するための形態】
【０００６】
図１は、本発明に係る、短寸サイズシャフトを切断することができるシャフト切断装置を示している。装置は、支柱や金属シートからシャフト切断装置の構造体として組み立てられた装置構造体１から構成されている。
【０００７】
装置構造体の横のいずれかの側は、外部部品を備える装置の内部を開閉するために、支柱やシャフトからシャフト切断装置の内部を開閉することが可能な構造体として組み立てられた構造体である開閉フレーム２である。
【０００８】
装置構造体１の上側部分には、装置構造体１内でのシャフト切断装置の加工プロセスから外部に空気を排出させるために、直接的にまたは接続チューブ４を介して空気を排出させる空気流路３が設けられている。
【０００９】
装置構造体１の横のいずれかの側には、電力システムのために備えられ、外部電源とシャフト切断ユニット内の電力システムとを接続する電気制御ユニットが設けられている。
【００１０】
装置構造体１の一部分に、すなわち電力システムを制御し、シャフト切断装置を操作する電気コントローラとして使用される、コントローラ６が設けられている。
【００１１】
装置構造体１の下側部分に、切断プロセスで生じたシャフトスクラップを受け取って保管するスクラップボックス７と開閉可能なボックス蓋８とが設けられている。
【００１２】
装置構造体１の下側部分の他方の側には、冷却液用ホール９が設けられ、そのホールの上側部分が、冷却液を受け取って保管するためにフィルタ１０に接続されている。
【００１３】
装置構造体１の横側の部分に、シャフト切断ユニット１３（図４参照）によって短寸シャフトを切断するために、切断送りユニット１２（図３参照）に短寸シャフトを送る短寸シャフト用供給ユニット１１（図２参照）が設けられている。
【００１４】
図２は、短寸シャフトを切断することができる本発明に係るシャフト切断装置の短寸シャフト供給ユニット１１を示している。ユニットは、供給用構造体１４から構成され、支柱やシートによって構成されて供給用構造体１４のメイン構造体である。
【００１５】
供給用構造体の一部分に、切断する必要がある短寸シャフト１６が水平姿勢で置かれるパレットであるシャフト用パレット１５が設けられている。シャフトパレット１５の左側や右側に、サイドエッジとしてサイドエッジ１７が取り付けられている。そのエッジは、水平姿勢の短寸シャフト１６がシャフト移動レール１８に移動する右側のトラックに、シャフトパレット１５上の水平姿勢の短寸シャフト１６が載るのを支援する。
【００１６】
サイドエッジ１７は、エッジ用インアウトスティック１９を、エッジ用インアウトスティック１９をインアウトさせる外力で移動させることによって調整することが可能である。それによりシャフト用パレット１５上に水平姿勢で配置された短寸シャフトの長さと一致するようにサイドエッジ１７間の距離が調整される。これにより、シャフト移動レール１８上に水平姿勢の短寸シャフト１６が移動する。
【００１７】
シャフト移動レール１８の上方に、供給用構造体１４の上部構造の一部分に対して一部分が取り付けられている上側パレットまたは上側構造である上側昇降パレット２０が設けられている。これは、上側昇降パレット２０を移動させる動力をその上部に伝達するための上側インアウトシリンダ２１から伝達された力を受ける。
【００１８】
シャフト移動レール１８の下側部分は、供給用構造体１４の上部構造の一部分に対して一部分が取り付けられている下側パレットまたは下側構造である下側昇降パレット２２から構成されている。これは、下側昇降パレット２２を移動させることができる動力をその下部に伝達するための下側インアウトシリンダ２２からの伝達された力を受ける。
【００１９】
シャフト移動レール１８の前に、所望の長さに切断済みのャフトを受け取るために、サイドエッジ２５を備える加工済みシャフト用パレット２４が設けられている。
【００２０】
自由に前後に移動する加工済みシャフト用パレット２４を固定するために、加工済みシャフトパレット２４の横に、すなわちサイドエッジ２５の横に、サイドロックアーム２６の一端が取り付けられている。サイドロックアーム２６の他端は装置構造体１に取り付けられている。
【００２１】
図３は、短寸シャフトを切断することができる本発明に係るシャフト切断装置の切断送りユニット１２を示している。このユニットは、外部構造体であって、短寸シャフト供給ユニット１１のシャフト移動レール１８の後方に配置された装置構造体１の一部分に対して構造体の下側部分または一部分が取り付けられるシャフト送り用構造体２７から構成され、短寸シャフト駆動機構２８の設置をサポートする。
【００２２】
短寸シャフト駆動機構２８は、シャフト送り用構造体２７に対して一部分が取り付けられている駆動モータ２９から構成され、外部から電力供給を受けてモータ軸３０を駆動する。
【００２３】
モータ軸３０は、シャフト送り用構造体２７の一部分に設置された駆動セット３３の一部分に配置された伝達駆動ピニオン３２を駆動するための駆動ピニオン３１に取り付けられている。
【００２４】
駆動セット３３は、その駆動をサポートし、また、伝達駆動ピニオン３２に取り付けられた機構である。このセットの別の部分が、直接的にシャフト送り用構造体２７に取り付けられている、または支持ベアリング３４を介して取り付けられている。支持ベアリング３４は、前後軸３５の挿入のために、シャフト送り用構造体２７の一部分に設置されている。
【００２５】
前後軸３５は、駆動セット３３の内部に挿入された長い軸であって、駆動セット３３からの伝達力によってインアウトに移動し、シャフト移動レール１８上に水平姿勢に配置されてシャフト切断ユニット１３によって所望の長さに切断処理される短寸シャフトを押し進める。
【００２６】
前後軸３５の後側に、前後軸３５の前後の移動にともなって前後に移動し、また、前後支持スティック３７の後端が貫通している後側保持スティック３６の一部分が取り付けられている。
【００２７】
前後支持スティック３７は、その前端がシャフト送り用構造体２７の一部分に取り付けられている長いスティックであって、端検知用スティック３９を備える端突き出し用スティック３８を保持するために、その後端が後側保持スティック３６の一部分を貫通している。
【００２８】
端検知用スティック３９は、シャフト送り用構造体２７の一部分に接触するスティックまたは検知用構造体であって、端検知用スティック３９は、シャフト切断装置のユニット制御部に駆動モータ２９の動作を停止させる処理データを送信するために、移動してシャフト送り用構造体２７の一部分に接触する。
【００２９】
図４は、短寸シャフトを切断することができる本発明に係るシャフト切断装置のシャフト切断ユニット１３を示している。このユニットは、一部として装置構造体１に取り付けられた外部構造体であるシャフト切断ユニット構造体４０から構成されている。
【００３０】
シャフト切断ユニット構造体４０の横に、外部から供給された電力によって動作し、動力伝達機構４２に動力を伝達するモータの駆動軸を駆動するサイド駆動モータ４１が設けられている。
【００３１】
動力伝達機構４２は、シャフト移動レール１８に配置された水平姿勢の短寸シャフト１６を所望の長さずつ切断するシャフトブレード４４に取り付けられたブレード軸４３に、チェーンや歯ベルトを介して、動力を伝達する駆動ピニオンや駆動ギヤから構成されている。
【００３２】
シャフト切断ユニット構造体４０の横の別の部分に、少なくとも１つのベースを保持するサイド軸保持ベース４５が設けられている。ベースには、外部から伝達された動力を受け取るサイド回転軸４６の一端が挿入されている。
【００３３】
軸の他端は、切断されたシャフトの表面を研磨するためにサイド回転軸４６の回転にしたがって回転する砥石ホイール４７に挿入されている。
［本発明を実行するためのベストモード］
発明の開示の内容と同様である。
【図１】
0006431539.tif 000002
【図２】
0006431539.tif 000003
【図３】
0006431539.tif 000004
【図４】
0006431539.tif 000005